(57)【要約】【課題】内箱の無い簡素な構造であって、外箱を形成する板材を薄くしても、断熱材と仕切板との間に隙間が生じ難く、また、仮に断熱材と仕切板との間に隙間が生じたとしても、商品収納庫間で空気の流れが生じない自動販売機を得る。【解決手段】自動販売機１０００に設置される仕切板１００は、仕切板５０の後面側の縁部の全長にわたって板材７０が設置され、板材７０の前面寄り範囲７１が仕切板５０に貼り付けられ、板材７０の後面寄り範囲７２が仕切板５０の後面側端面５２から突出して外箱２０の後面板２２に設置された後面断熱材３２に差し込まれる。さらに、後面断熱材３２に差し込まれて係止する係止部材や、後面断熱材３２の表面に当接する当接部材が設置される。したがって、後面板２２が変形が抑制され、また、変形しても、仕切板５０と後面断熱材３２との間は板材７０によって遮断され、空気が通過することがない。【選択図】        図１
2007079678.tif 000002
【特許請求の範囲】
【請求項１】
内面に沿って断熱材が配置され、前面に開口部を具備する外箱と、
該外箱の開口部を開閉する断熱扉と、
該外箱を複数の商品収納庫に分割する仕切板と、
前記商品収納庫のそれぞれに配置され、商品を収納して順次下方に搬出する機能を有する商品ラックと、
前記商品収納庫のそれぞれに対応して前記断熱扉に形成された複数の商品搬送口と、
前記商品収納庫のそれぞれに配置され、前記商品ラックから落下した商品を前記商品搬出口に誘導する商品誘導手段と、
前記商品収納庫のそれぞれに配置され、前記商品誘導手段の下方に配置されて空気を冷却する冷却手段または空気を加熱する加熱手段の一方または両方を具備する熱交換手段と、
前記商品収納庫のそれぞれに配置され、該熱交換手段を通過する空気の流れを形成する送風手段とを有する自動販売機であって、
前記外箱の背面に沿って設置された断熱材と前記仕切板の後面側縁部とに跨って板材が設置されていることを特徴とする自動販売機。
【請求項２】
前記板材の前面寄り部分が前記仕切板の側面に貼り付けられ、前記板材の後面寄り部分が前記断熱材に差し込まれていることを特徴とする請求項１記載の自動販売機。
【請求項３】
前記板材の側面に突出する係止部材が設置され、該係止部材が前記断熱材に係止することによって前記差し込まれた板材の抜け出しが防止されていることを特徴とする請求項２記載の自動販売機。
【請求項４】
前記板材の側面に突出する当接部材が設置され、該当接部材が前記断熱材の表面に当接することによって過剰な差し込みが防止されていることを特徴とする請求項２または３記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
（自動販売機）
図６〜８は、それぞれ従来の自動販売機の構成を示すものであって、図６は側面視の断面図、図７は正面視の断面図、図８は冷却ユニットの構成図である。
図６および図７において、自動販売機９００は、一面（前面）に開口部を具備する外箱２０と、外箱２０の内面に沿って配置された断熱材３０と、外箱２０の前記開口部を開閉する断熱扉４０と、仕切板５０ａｂ、５０ｂｃによって仕切られた商品収納庫６０ａ、６０ｂ、６０ｃとを有している。
なお、以下の説明において、各部位を示す番号の内アルファベットａ、ｂまたはｃはそれぞれ商品収納庫６０ａ、６０ｂまたは６０ｃに配置されたものであること、および部位を示す番号にアルファベットが付記されていないものは、配置位置にかかわらず同じ内容であることを示す。また、各図において同じ部分または相当する部分にはこれと同じ符号を付し、一部説明を省略する。
【０００３】
（商品収納庫）
商品収納庫６０には、商品を収納して順次下方に移送する商品収納装置６１と、商品収納装置６１から落下した商品を商品搬送口６３（断熱扉４０を貫通する開口部として設けられている）に向けて搬送する商品搬送装置６２（以下、シュータと称す）と、シュータ６２の下方に配置された蒸発器５およびヒータ８およびファン９と、商品収納装置６１の内部を経由して蒸発器５に向けて商品収納庫６０内の空気を循環するための吸気ダクト６４とが設置されている。
【０００４】
すなわち、たとえば商品収納庫６０ａにおいて蒸発器５ａを作動した場合には、蒸発器５ａにおいて冷却された空気はファン９ａによって送られ、シュータ６２ａに設けられた通気用孔や通気用隙間（図示しない）から上方に吹き出し、商品収納装置６１ａに収容された商品に衝突してこれを冷却し、その後、吸気ダクト６４ａの吸気口（図示しない）から吸気ダクト６４ａに吸引され、吸気ダクト６４ａの排気口（図示しない）から蒸発器５ａに吸い込まれる。かかる風の流れを矢印にて模式的に表示する。
【０００５】
一方、たとえば商品収納庫６０ｃにおいてヒータ８ｃを作動した場合には、ヒータ８ｃにおいて加熱された空気はファン９ｃによって送られ、シュータ６２ｃに設けられて通気用孔や通気用隙間（図示しない）から上方に吹き出し、商品収納装置６１ｃに収容された商品に衝突してこれを加熱し、その後、吸気ダクト６４ｃの吸気口（図示しない）から吸気ダクト６４ｃに吸引され、吸気ダクト６４ｃの排気口（図示しない）からヒータ８ｃに吸い込まれる。かかる風の流れを矢印にて模式的に表示する。
【０００６】
（冷却ユニット）
図８において、冷却ユニット１０は、商品収納庫６０ａ、６０ｂ、６０ｃの外部に配置されたアキュムレータ６と圧縮器１と凝縮器２とが冷媒配管７によって直列接合されている。そして、冷媒配管７は、凝縮器２の下流で冷媒配管７ａ、７ｂ、７ｃに分岐して、それぞれ商品収納庫６０ａ、６０ｂ、６０ｃ（蒸発器５ａ、５ｂ、５ｃに同じ）に導かれ、さらに、商品収納庫６０ａ、６０ｂ、６０ｃを出た後はアキュムレータ６の上流で再度冷媒配管７に統合されている。
【０００７】
図８に基づいて冷却ユニット１０の動作を説明する。圧縮器１から送り出された冷媒は、冷媒配管７内を流れ、凝縮器２で放熱されて凝縮する。その後、分岐した冷媒配管７ａ、７ｂ、７ｃにそれぞれ設置された電磁弁３ａ、３ｂ、３ｃの開閉によって所定の商品収納庫６０ａ、６０ｂ、６０ｃに分配・供給される。
そして、冷媒を分配するための電磁弁３ａ、３ｂ、３ｃと冷媒を膨張させるためのキャピラリチューブ４ａ、４ｂ、４ｃと各商品収納庫内空気を冷却するための蒸発器５ａ、５ｂ、５ｃとが、それぞれ冷媒配管７ａ、７ｂ、７ｃによって直列接合されている。
さらに、蒸発器５ａ、５ｂ、５ｃにおいて吸熱（熱交換）した冷媒は、冷媒配管７に統合され、気液分離のためのアキュムレータ６を通って圧縮器１に戻っている。
【０００８】
このような構成の冷却ユニット１０を有する自動販売機９００は、商品収納庫６０ａ、６０ｂ、６０ｃが商品の種類や季節等に応じて冷却室または加熱室として適宜切り換えて使用されている。たとえば、全室を冷却する場合（以下「ＣＣＣ運転モード」と称す）、商品収納庫６０ａおよび商品収納庫６０ｂを冷却して商品収納庫６０ｃを加熱する場合（以下「ＣＣＨ運転モード」と称す）、商品収納庫６０ａを冷却して商品収納庫６０ｂおよび商品収納庫６０ｃを加熱する場合（以下「ＣＨＨ運転モード」と称す）、さらに、全商品収納庫を加熱する場合（以下「ＨＨＨ運転モード」と称す）がある。
【０００９】
（断熱壁）
そして、外箱２０の内面には断熱材３０が直接固着され、断熱材３０の内面には図示しない防水性のフィルムを貼着したり、あるいはアルミニウムのコーティングを施している。すなわち、内箱を省略しているから、構造が簡素になり、断熱壁が容易且つ安価に形成されている（例えば、特許文献１参照）。
【００１０】
【特許文献１】特開平１０−１１６３８５号公報（第２頁、図３）
【発明の開示】
【発明が解決しようとする課題】
【００１１】
しかしながら、特許文献１に開示された発明は、外箱２０を形成する板材（薄鋼板）の厚さが薄いため、容易に面外方向（外箱２０の外面方向または内面方向に同じ）に弾性変形する、いわゆる「反る」という問題があった。
特に、外箱２０の後面を形成する板材が断面弓状に弾性変形、すなわち、後面の高さ方向の略中央範囲が外面側に膨出すると、該弾性変形に引きずられて断熱材３０の内面も外面側に膨出し、これによって、後面の高さ方向の略中央範囲において、断熱材３０の内面と仕切板５０の後面側端面との間に隙間が生じていた。
このため、商品収納庫間で空気の流れ、冷却している商品収納庫への加熱空気の侵入や加熱している商品収納庫室への冷却空気の侵入が生じ、冷却効率または加熱効率が低下するという問題が生じていた。
【００１２】
本発明は上記課題を解決するためのものであり、内箱の無い簡素な構造であって、外箱を形成する板材を薄くしても、断熱材と仕切板との間に隙間が生じ難く、また、仮に断熱材と仕切板との間に隙間が生じたとしても、商品収納庫間で空気の流れが生じない自動販売機を得ることを目的とする。
【課題を解決するための手段】
【００１３】
本発明に係る自動販売機（請求項１）は、内面に沿って断熱材が配置され、前面に開口部を具備する外箱と、
該外箱の開口部を開閉する断熱扉と、
該外箱を複数の商品収納庫に分割する仕切板と、
前記商品収納庫のそれぞれに配置され、商品を収納して順次下方に搬出する機能を有する商品ラックと、
前記商品収納庫のそれぞれに対応して前記断熱扉に形成された複数の商品搬送口と、
前記商品収納庫のそれぞれに配置され、前記商品ラックから落下した商品を前記商品搬出口に誘導する商品誘導手段と、
前記商品収納庫のそれぞれに配置され、前記商品誘導手段の下方に配置されて空気を冷却する冷却手段または空気を加熱する加熱手段の一方または両方を具備する熱交換手段と、
前記商品収納庫のそれぞれに配置され、該熱交換手段を通過する空気の流れを形成する送風手段とを有するものであって、
前記外箱の後面に沿って設置された断熱材と前記仕切板の後面側縁部とに跨って板材が設置されていることを特徴とする。
【００１４】
本発明に係る自動販売機（請求項２）は、前記板材の前面寄り部分が前記仕切板の側面に貼り付けられ、前記板材の後面寄り部分が前記断熱材に差し込まれていることを特徴とする。
【００１５】
本発明に係る自動販売機（請求項３）は、前記板材の側面に突出する係止部材が設置され、該係止部材が前記断熱材に係止することによって前記差し込まれた板材の抜け出しが防止されていることを特徴とする。
【００１６】
本発明に係る自動販売機（請求項４）は、前記板材の側面に突出する当接部材が設置され、該当接部材が前記断熱材の表面に当接することによって過剰な差し込みが防止されていることを特徴とする。
【発明の効果】
【００１７】
本発明の請求項１に係る自動販売機は、内箱の無い簡素な構造であって、前記外箱の後面に沿って設置された断熱材と仕切板の後面側縁部とに跨って板材が設置されているから、外箱を薄い板材で形成した場合に該板材が変形し、これに引きずられて断熱材が変形した場合であっても、断熱材と仕切板との間に隙間が生じないため、商品収納庫間で空気の流れが生ずることはなく、冷却効率や加熱効率が低下が防止される。
【００１８】
また、請求項２に係る自動販売機は、板材の前面寄り部分が仕切板の側面に貼り付けられ、板材の後面寄り部分が断熱材に差し込まれているから、断熱材の変形が防止され、断熱材と仕切板との間で隙間が生じ難い。
【００１９】
また、請求項３に係る自動販売機は、板材の側面に設置された係止部材が、断熱材に係止して板材の抜け出しが防止されるから、断熱材の変形がさらに防止され、断熱材と仕切板との間で隙間が生じ難い。
【００２０】
また、請求項４に係る自動販売機は、板材の側面に設置された当接部材が断熱材の表面に当接するから、板材の差込量を適正な値にすることができ、たとえば、差込量が不足したり、断熱材を貫通したりすることが防止される。
【発明を実施するための最良の形態】
【００２１】
（平板式）
図１および図２は本発明の自動販売機に係る実施形態を模式的に側断面図、図２の（ａ）はその部材の一例を模式的に示す斜視図、図２の（ｂ）はその部材の一例の設置要領を模式的に示す拡大平面図である。なお、背景技術（図４〜６）と同じ部分にはこれと同じ符号を付し、一部の説明を省略する。
図１および図２において、自動販売機１０００に設置される仕切板１００は、仕切板５０の後面側の縁部の全長にわたって板材７０が設置されている。すなわち、板材７０の前面寄りの所定幅の範囲７１が、たとえば、両面テープによって仕切板５０に貼り付けられ、板材７０の後面寄りの所定幅の範囲７２が、仕切板５０の後面側の後面側端面５２から突出している。
なお、仕切板５０は、仕切板５０の本体をなす板状の仕切断熱材と、該仕切断熱材の側面の下方範囲（販売される商品が衝突する可能性のある範囲に相当する）に貼り付けられた仕切断熱材保護板とから形成されているが、説明の便宜上、仕切断熱材保護板の記載を省略している。
【００２２】
自動販売機１０００の外箱２０は前面に開口部を有する筐体であって、これを構成する板材を、側面板（図示しない）、後面板２２、天板２３、床板２４と称す。そして、外箱２０の内面に沿って配置された断熱材３０を、側面板に沿った側面断熱材（図示しない）、後面板２２に沿った後面断熱材３２、天板２３に沿った天板断熱材３３、床板２４に沿った床板断熱材３４と称す。なお、側面断熱材３１、後面断熱材３２、天板断熱材３３、床板断熱材３４の内面には、それぞれ図示しない防水処理が施されている。
そして、外箱２０の内部は、仕切板１００によって仕切られている。なお、図中、商品収納庫内に配置された各装置の記載を省略している。
【００２３】
仕切板５０の上端面５３は天板断熱材３３に、下端面５４は床板断熱材３４に、それぞれ気密的に当接している。仕切板５０の後面側端面５２は後面断熱材３２に近接し、板材７０の後面寄りの所定幅の範囲７２の一部が後面断熱材３２に差し込まれている。
なお、図中、仕切板５０の後面側端面５２と後面断熱材３２との間に隙間Ｇが形成されているが、後面側端面５２を後面断熱材３２に当接、すなわち、板材７０の後面寄りの所定幅の範囲７２の全部を後面断熱材３２に差し込み、隙間Ｇを無くしてもよい。また、板材７０を仕切板１００の片側面のみに貼り付けたり、板材７０を仕切板５０の後面側端面５２から側面に沿って差し込んだりしてもよい。
【００２４】
したがって、外箱２０の後面板２２を薄い板材で形成した場合に該板材が変形（たとえば、後面に向かった断面弓状に反る等）しようとしても、後面断熱材３２に差し込まれた板材７０の範囲７２が該変形を拘束する。したがって、隙間Ｇの拡大が防止され、後面断熱材３２と仕切板５０の後面側端面５２との間の気密性が維持される。
また、仮に、外箱２０の後面板２２を薄い板材で形成した場合に該板材が変形し、これに引きずられて後面断熱材３２が変形（たとえば、後面に向かった断面弓状に反る等）した場合に隙間Ｇが拡大しても、該変形量（反り返り量）よりも差込量を大きくしておければ、隙間Ｇの気密性は板材７０によって保証される。よって、商品収納庫間で空気の流れが生ずることはなく、冷却効率や加熱効率が低下が防止される。
【００２５】
（係止部材式）
図３は本発明の自動販売機に係る実施形態における部材の一例であって、（ａ）は部材を模式的に示す斜視図、（ｂ）は部材設置要領を模式的に示す平面図である。
図３において、図示しない自動販売機に設置される仕切板２００は、仕切板１００に設置される板材７０に係止部材８０を設置したものである。すなわち、板材７０の後面寄りの所定幅の範囲７２には、前面側で板材７０から離れた係止先端部８１と、後面側で板材７０に固定された係止基部８２とを具備する楔状の係止部材８０が設置されている。
【００２６】
そして、仕切板２００は、仕切板１００と同様に商品収納庫間を仕切るから、板材７０の後面側範囲７２は後面断熱材３２に差し込まれる。このとき、板材７０に設置された係止部材８０は、板材７０を後面断熱材３２に差し込む際には障害にならないものの、板材７０を後面断熱材３２から抜き出そうとすると、係止先端部８１が後面断熱材３２に食い込んで抜け出しを防止する。
【００２７】
したがって、外箱２０の後面板２２の変形をさらに防止すると共に、仮に、外箱２０の後面板２２が変形し、これに引きずられて後面断熱材３２が変形（たとえば、後面に向かった断面弓状に反る等）した場合でも、仕切板２００が後面断熱材３２から抜け出すことがない。よって、商品収納庫間で空気の流れが生ずることはなく、冷却効率や加熱効率が低下が防止される。
なお、本発明は、別途製作された係止部材８０を板材７０に設置するものに限定するものではなく、板材７０にＶ字状の切り込みを加工し、該切り込みに沿って折り曲げることによって係止部材８０を形成してもよい。また、板材７０を仕切板２００の片側面のみに貼り付けてもよい。さらに、板材７０を仕切板５０の後面側端面５２から側面に沿って差し込んだりしてもよい。このとき、板材７０の前面側の範囲７１にも、係止部材８０を設置してもよい。
【００２８】
（当接部材式）
図４は本発明の自動販売機に係る実施形態における部材の一例であって、（ａ）は部材を模式的に示す斜視図、（ｂ）は部材設置要領を模式的に示す平面図である。
図４において、図示しない自動販売機に設置される仕切板３００は、仕切板１００に設置される板材７０に当接部材９０を設置したものである。すなわち、板材７０の前面寄りの所定幅の範囲７１には、断面Ｌ字をなす平行部９１が固定され、断面Ｌ字をなす垂直部９２が側方に突出している。
【００２９】
そして、仕切板３００は、仕切板１００と同様に商品収納庫間を仕切るから、板材７０の後面側範囲７２は後面断熱材３２に差し込まれる。このとき、板材７０に設置された当接部材９０の垂直部９２は、後面断熱材３２の表面に当接しているから、板材７０の差し込み量が一定になる。このため、過剰な差し込みによって、板材７０が後面板２２に突き当たり、伝熱経路が生まれることがなく、反対に、差し込み不足によって、板材７０が容易に抜け出したりすることがない。
【００３０】
図５は本発明の自動販売機に係る実施形態における部材の一例を模式的に示す平面図である。
図５の（ａ）において、図示しない自動販売機に設置される仕切板４００は、仕切板１００に設置される板材７０に当接部材９３を設置したものである。すなわち、板材７０の前面寄りの所定幅の範囲７１と後面寄りの所定幅の範囲７２との境界で側面に垂直に当接部材９３を設置し、当接部材９３は仕切板５０の後面側端面５２に当接または両面テープで貼り付けられている。
【００３１】
図５の（ｂ）において、図示しない自動販売機に設置される仕切板５００は、板材７０の後面側の側縁部を鋭角のナイフエッジ７３を形成したものである。
したがって、板材７０の差し込みが容易になっている。なお、ナイフエッジ７３と同時に、あるいはナイフエッジ７３に替えて、後面断熱材３２の所定位置に、切り込みを形成しても、板材７０の差し込みを容易することができるものである。
【００３２】
以上、係止部材８０、当接部材９０、当接部材９３あるいはナイフエッジ７３をそれぞれ単独で具備するものを例示しているが、本発明はこれに限定するものではなく、これらを適宜選択的に併用してもよい。
なお、板材７０を形成する材質は限定するものではなく、空気遮断性と、差し込みに耐える所定の剛性を具備するものであればよい。また、板材７０自体が熱の遮断性や難伝達性を具備すれは好適である。
【産業上の利用可能性】
【００３３】
本発明は以上の構成であるから、内箱を具備しない形式の各種自動販売機における、仕切板として広く利用することができる。
【図面の簡単な説明】
【００３４】
【図１】本発明の自動販売機に係る実施形態を模式的に側断面図。
【図２】図１に示す実施形態における部材の一例を模式的に示す斜視図と平面図。
【図３】図１に示す実施形態における部材の一例を模式的に示す斜視図と平面図。
【図４】図１に示す実施形態における部材の一例を模式的に示す斜視図と平面図。
【図５】図１に示す実施形態における部材の一例を模式的に示す斜視図と平面図。
【図６】従来の自動販売機の構成を示す側面視の断面図。
【図７】従来の自動販売機の構成を示す正面視の断面図。
【図８】従来の自動販売機の構成を示す冷却ユニットの構成図。
【符号の説明】
【００３５】
１ 圧縮器
２ 凝縮器
３ 電磁弁
４ キャピラリチューブ
５ 蒸発器
６ アキュムレータ
７ 冷媒配管
８ ヒータ
９ ファン
１０ 冷却ユニット
２０ 外箱
２２ 後面板
２３ 天板
２４ 床板
３０ 断熱材
３１ 側面断熱材
３２ 後面断熱材
３３ 天板断熱材
３４ 床板断熱材
４０ 断熱扉
５０ 仕切板
５２ 後面側端面
５３ 上端面
５４ 下端面
６０ 商品収納庫
６１ 商品収納装置
６２ 商品搬送装置（シュータ）
６３ 商品搬送口
６４ 吸気ダクト
７０ 板材
７１ 前面側範囲
７２ 後面側範囲
７３ ナイフエッジ
８０ 係止部材
８１ 係止先端部
８２ 係止基部
９０ 当接部材
９１ 平行部
９２ 垂直部
９３ 当接部材
１００ 仕切板
２００ 仕切板
３００ 仕切板
４００ 仕切板
５００ 仕切板
１０００ 自動販売機
Ｇ 隙間
【図１】
2007079678.tif 000003
【図２】
2007079678.tif 000004
【図３】
2007079678.tif 000005
【図４】
2007079678.tif 000006
【図５】
2007079678.tif 000007
【図６】
2007079678.tif 000008
【図７】
2007079678.tif 000009
【図８】
2007079678.tif 000010